(57)【要約】【課題】  回転カッターの切断抵抗を小さくすることにより、刈払い作業が小労力で行なえる刈払い機用回転カッターを得る。【解決手段】円板状の台金（２）の外周部に、すくい面（４ａ，５ａ）が円弧溝状となる刃（４，５）を円周方向に所定ピッチで設けるとともに、円周方向に隣接する刃（４，５）を台金（２）に対して横方向に千鳥状に偏倚させ、前記各刃（４，５）の一方の側面切刃（４ｂ，５ｃ）を台金（２）の一方の面と他方の面とから外側方に交互に突出させる。また、各刃（４，５）の左右の側面切刃（４ｂ，４ｃ、５ｂ，５ｃ）は、進行方向の突出量を略同じにする。【選択図】  図２
2006149289.tif 000002
【特許請求の範囲】
【請求項１】
円板状の台金（２）の外周部に、すくい面（４ａ，５ａ）が円弧溝状となる刃（４，５）を円周方向に所定ピッチで設けるとともに、円周方向に隣接する刃（４，５）を台金（２）に対して横方向に千鳥状に偏倚させ、前記各刃（４，５）の一方の側面切刃（４ｂ，５ｃ）を台金（２）の一方の面と他方の面とから外側方に交互に突出させたことを特徴とする刈払い機用回転カッター。
【請求項２】
各刃（４，５）の左右の側面切刃（４ｂ，４ｃ、５ｂ，５ｃ）は、進行方向の突出量を略同じとしたことを特徴とする請求項１記載の刈払い機用回転カッター。
【請求項３】
各刃（４，５）の側面逃げ角（Ｓ１）は３度以上としたことを特徴とする請求項１又は２記載の刈払い機用回転カッター。
【発明の詳細な説明】
【技術分野】
【０００１】
本発明は、比較的大きな径を有する雑草、雑木類の刈払い作業が小労力で行なえる刈払い機用回転カッターに関するものである。
【背景技術】
【０００２】
一般に、雑草、雑木類の刈払いは、エンジン付きの刈払い機が使用され、該刈払い機用回転カッターは、円板状の台金の外周部に超硬合金製のチップを固着し、該チップの横すくい角を約９０度にして刃部の剛性を高くし、小石等の障害物に対する刃部の欠け、破損等を低減するようにしていた。
【０００３】
ところで、上記刈払い機で背が高くかつ比較的大きな径を有する雑草、雑木類を刈払いする際には、回転カッターを地面から所定距離離して刈払いすることになり、この場合には刃が小石等の障害物に接触することが殆どなく、むしろ、横すくい角が小さいために切断抵抗が増大するとともに切り屑の排出不良によって切断時間が延引し、作業者への負担が大きくなるものであった。
【特許文献１】特開平８−１９６１２８号公報
【発明の開示】
【発明が解決しようとする課題】
【０００４】
本発明は、回転カッターの切断抵抗を小さくするとともに、切り屑の排出を円滑にすることにより、比較的大きな径を有する雑草、雑木類の刈払い作業が小労力で行なえる新規な刈払い機用回転カッターを得ることを目的とする。
【課題を解決するための手段】
【０００５】
本発明は、上記目的を達成するために以下の如く構成したものである。即ち、請求項１に係る発明は、円板状の台金の外周部に、すくい面が円弧溝状となる刃を円周方向に所定ピッチで設けるとともに、円周方向に隣接する刃を台金に対して横方向に千鳥状に偏倚させ、前記各刃の一方の側面切刃を台金の一方の面と他方の面とから外側方に交互に突出させる構成にしたものである。
請求項２に係る発明は、前記各刃の左右の側面切刃を、進行方向の突出量が略同じとなるようにしたものである。
請求項３に係る発明は、前記各刃の側面逃げ角を３度以上としたものである。
【発明の効果】
【０００６】
本発明は、各刃のすくい面を円弧溝状にし、一方の側面切刃で被刈取り物を切断するようにしたので、雑草、雑木等の被刈取り物を切断する際に発生する切屑は上記すくい面によってカールされ、すくい面に圧着されず、この部に固着しなくなる。さらに、円周方向に隣接する上記一方の側面切刃を台金に対して交互に外側方に突出させたので、被刈取り物の切断時に回転カッターが上下に振れなくなる。このため、刃が被刈取り物から抜け出た際に切屑が刃部から外部に向かって円滑に排出されるとともに、切断時に回転カッターが振動しなくなり、比較的大きな径を有する被刈取り物の刈払い作業が小労力で迅速に行なえることになる。
また、各刃の左右の側面切刃は、進行方向の突出量が略同じとなっているので、切屑はすくい面の刃厚中心部でカールされることになり、外部への排出がより円滑に行なわれることになる。また、前記各刃の側面逃げ角を３度以上としたので切断時の抵抗が小さくなる。
【発明を実施するための最良の形態】
【０００７】
以下本発明の実施例を図面に基いて説明する。図面において、図１は本発明の実施例を示す回転カッターの部分側面図、図２は図１の平面図、図３は図１のIII-III断面図、図４は図１のIV-IV断面図、図５は刃の要部拡大平面図である。
【０００８】
図１〜図４において、１は外径約２３０ｍｍの刈払い機用回転カッターであり、厚さＴ２が約１．３ｍｍとなる円板状の台金２の外周に３６個の刃台３を円周方向に等ピッチあるいは不等ピッチで形成し、各刃台３の回転面側に超硬合金製の第１刃４及び第２刃５を円周方向に交互に固着する。
【０００９】
上記各第１刃４及び第２刃５は、図１に示すように、正面すくい角Ａ１を約１０度、先端逃げ角Ｃ１を約１２度とし、また、図２に示すように、すくい面４ａ，５ａは共に半径Ｒ１が約３ｍｍとなる円弧溝状にするとともに、円周方向に隣接する第１刃４と第２刃５とを台金２に対して交互に側方（上下）に偏倚させる。
【００１０】
上記第１刃４はその上部側の側面切刃４ｂを台金２の上面から上方に突出させ、下部側の側面切刃４ｃを台金２の下面と同一レベルとし、第２刃５はその下部側の側面切刃５ｃを台金２の下面から下方に突出させ、上部側の側面切刃５ｂを台金２の下面と同一レベルとする。また、図２、図５に示すように、上記第１刃４の上下部の側面切刃４ｂ，４ｃ、及び第２刃５の上下部の側面切刃５ｂ，５ｃは、進行（回転）方向の突出量を略等しくして被刈取り物Ｗに同時に接触するようにする。
【００１１】
また、図２に示すように、第１刃４の上側面切刃４ｂ側の側面逃げ角Ｓ１、及び第２刃５の下側面切刃５ｃ側の側面逃げ角Ｓ１を共に３度以上、好ましくは約３．５度、第１刃４の下側面切刃４ｃ側の側面逃げ角、及び第２刃５の下側面切刃５ｃ側の側面逃げ角は共に約０度とする。また、図３、図４に示すように、上記各第１刃４及び第２刃５の先端傾き角Ｄ１は互いに反対向きにするとともに、その角度Ｄ１を共に約１０度にして先端切刃４ｄ，５ｄを交互に傾斜させる。
【００１２】
また、上記第１刃４の側面切刃４ｂの側面向心角Ｅ１、及び第２刃５の側面切刃５ｃの側面向心角Ｅ１は共に約１度、第１刃４の側面切刃４ｃの側面向心角、及び第２刃５の側面切刃５ｂの側面向心角は共に約０度とする。また、上記各第１刃４及び第２刃５の刃厚Ｔ１は共に約２．２ｍｍとする。
【００１３】
なお、前述した回転カッター１の外径、台金２及び第１刃４、第２刃５の刃厚Ｔ１、刃数等は、刈払い機のエンジンの出力、被刈取り物の種類等によって適宜設定する。
【００１４】
上記実施例によれば、各第１、第２刃４，５のすくい面４ａ，５ａを円弧溝状にするとともに、一方の側面切刃４ｂ，５ｃで被刈取り物を切断するようにしたので、被刈取り物を切断する際に発生する切屑は上記すくい面４ａ，５ａによってカールされ、すくい面４ａ，５ａに圧着されず、この部に固着しなくなる。このため、刃４，５が被刈取り物から抜け出た際に切屑が刃部から外部に向かって円滑に排出されることになる。
【００１５】
また、円周方向に隣接する上記一方の側面切刃４ｂ，５ｃは台金に対して交互に外側方に突出しているので、被刈取り物の切断時に回転カッター１が上下に振動しなくなる。これにより、比較的大きな径を有する雑草、雑木類の刈払いが迅速に行なえるとともに、該刈払い時の労力が軽減することになる。また、各第１、第２刃４，５の左右の側面切刃４ｂ，４ｃ、５ｂ，５ｃは、進行方向の突出量が略同じとなっているので、上記切屑はすくい面４ａ，５ａの刃厚中心部でカールされることになり、外部への排出がより円滑に行なわれることになる。
【図面の簡単な説明】
【００１６】
【図１】本発明の実施例を示す回転カッターの部分側面図である。
【図２】図１の平面図である。
【図３】図１のIII-III断面図である。
【図４】図１のIV-IV断面図である。
【図５】刃の要部拡大平面図である。
【符号の説明】
【００１７】
１    刈払い機用回転カッター
２    台金
３    刃台
４    第１刃
４ａ  すくい面
４ｂ，４ｃ  側面切刃
４ｃ  先端切刃
５    第２刃
５ａ  すくい面
５ｂ，５ｃ  側面切刃
５ｃ  先端切刃
Ａ１  すくい角
Ｄ１  先端傾き角
Ｓ１  側面逃げ角
Ｅ１  側面向心角
【図１】
2006149289.tif 000003
【図２】
2006149289.tif 000004
【図３】
2006149289.tif 000005
【図４】
2006149289.tif 000006
【図５】
2006149289.tif 000007